(57)【要約】【課題】サウナジャケット着の裾部を開口することによってサウナ入浴中の脱衣や移動を可能なものとし、さらに設置場所の省スペース化と、サウナ装置本体の簡素化ならびに軽量化を図る。【解決手段】サウナジャケット着と温風発生装置で構成し、該サウナジャケット着は首部開口部から裾部開口部にかけて末広がり状に拡張して連通すると共に、人体の首部から尻臀部までの間の胴体部を一定の隙間空間を有して収納可能な形状に形成し、首部開口部の前方には該首部開口部の開放状態を調節する開襟調節具を備え、裾部開口部の前方ならびに後方には該裾部開口部の捲れ状態を押さえ込む敷設部を形成し、前身頃の下方の両脇には使用者の手首が挿通される挿通ポケット口を形成し、側身頃の下方の一方には温風発生装置の送風ホースが連結される送風ホース連結口部を設けると共に、該送風ホース連結口部の内側には排風口の向きを自在に調節できる排風ホースを連結する手段を採る。【選択図】図１
2014180296.tif 000002
【特許請求の範囲】
【請求項１】
非通気性の柔軟性伸縮素材で形成されるサウナジャケット着と、該サウナジャケット着の内側に温風を送り込む温風発生装置と、で構成される簡易サウナ装置であって、
前記サウナジャケット着は、首部開口部から裾部開口部にかけて末広がり状に拡張して連通すると共に、人体の首部から尻臀部までの間の胴体部を一定の隙間空間を有して収納可能な形状に形成し、首部開口部の前方には該首部開口部の開放状態を調節する開襟調節具を備え、裾部開口部の前方ならびに後方には該裾部開口部の捲れ状態を押さえ込む敷設部を垂設し、前身頃の下方の両脇には使用者の手首が挿通される挿通ポケット口を形成し、側身頃の下方の一方には前記温風発生装置の送風ホースが連結される送風ホース連結口部を設けると共に、該送風ホース連結口部の内側には排風口の向きを自在に調節できる排風ホースを連結して成り、
前記送風ホース連結口部に前記温風発生装置の送風ホースを連結して前記サウナジャケット着内に温風を送り込んでサウナ状態とすることを特徴とする簡易サウナ装置。
【請求項２】
前記サウナジャケット着の敷設部が、伸縮性を有する開口口を備える裾カバー部で形成され、前記裾部開口部の外周縁端部に係止具を介して着脱自在に取り付けたことを特徴とする請求項１記載の簡易サウナ装置。
【請求項３】
前記サウナジャケット着の首部開口部の外周縁に、使用者の頭部全体を被覆するフードカバーを係止具を介して着脱自在に取り付けたことを特徴とする請求項１または請求項２記載の簡易サウナ装置。
【発明の詳細な説明】
【技術分野】
【０００１】
本発明は、サウナジャケット着の裾部を開口することによってサウナ入浴中の脱衣や移動を可能なものとし、さらに設置場所の省スペース化と、サウナ装置本体の簡素化ならびに軽量化が図られる簡易サウナ装置に関する。
【背景技術】
【０００２】
従来のサウナ装置は、密閉された室内の雰囲気温度を高温にして生理機能ならびに新陳代謝や発汗作用を促して健康状態を維持する目的において利用されるもので、近年においては、家庭用のホームサウナとしてその需要を拡大している。
【０００３】
さらにそのホームサウナを手軽に利用することができる小型軽量の簡易サウナ装置が開発され、ストレス療法やダイエット療法においても効果があるという理由から、従来の温風ファンヒータや布団乾燥機などの白物家電を利用した簡易サウナ装置が開発され、注目を集めている。
【０００４】
しかしながら、それらの簡易サウナ装置は、枠体が形成される布製の密閉ボックス内に利用者自身が椅子に坐った状態で使用するものや、使用者の首だけが外部へ出る状態の稍小型のボックスを形成して、その内部に温風を送風する温風発生装置を取り付けたサウナ装置で構成されるものであった。
【０００５】
従って、上記の簡易サウナ装置においては、簡易サウナ装置としては比較的大型であり、設置作業ならびに組立作業などの複雑な作業を必要とすることから、一般的な家庭においては設置場所や設置スペースの確保が困難であると共に、使用するにあっては大掛かりな準備作業や後始末作業を必要とするものであった。
【０００６】
また、使用中においては、椅子に座った姿勢を強制され、しかも身体が長時間拘束されるため、圧迫感や拘束感が付きまとうと共に、入浴中の脱衣や移動が制限されるものであった。
【０００７】
そこで、最近では、操作が容易で手軽に使用でき、しかも比較的軽量で持ち運びが容易な家庭用のサウナ装置が開発され、価格的にも求めやすい廉価な商品が販売されてきている。
【０００８】
例えば、局部加熱されることなく均一にソフト加熱される「寝袋式サウナ」（特許文献１）が提案され、公知技術となっている。
【０００９】
しかしながら、上記「寝袋式サウナ」の提案は、人体を収容する寝袋の外側を形成する弾性部材をギャザー縫いした非通気性材よりなる外側袋と、外側袋の内側に人体を発汗させる浴室を形成する通気性材よりなる内側袋と、この内側袋と外側袋との間に形成される送風通路と、この送風通路に温風を供給する温風発生装置とで構成されている寝袋式のサウナ装置であるが、人体を収容する手段が寝袋式であるため使用中の人体の姿勢が床に寝た状態に強制されると共に、サウナ入浴中の行動が制限され、さらに寝袋に出入りする準備作業が面倒であって時間を要すると共に、設置スペースを大きく必要とするものであった。
【００１０】
また温風をドーム状に形成されたサウナ室の外壁面部から内部へ流入自在でサウナ室内の使用者に発汗作用と血行促進作用を行わせるようにし、不使用時には収縮させて携帯できる「温風噴射式サウナ装置」（特許文献２）が提案され、公知技術となっている。
【００１１】
しかしながら、上記「温風噴射式サウナ装置」の提案は、温風流通マットの長手方向全域上方に内面壁に複数の通気孔を均等に形成した複数本の弾性通気管を一定間隔毎に順次並設して、開口面に出入用被覆材を設けて密封したドーム状のサウナ室と、該サウナ室内に温風を連続流入すべく、温風流通マットと各弾性通気管に接続管を介して接続される外部温風供給源とから成り、該外部温風供給源から供給される温風を温風流通マットと各弾性通気管に同時供給するよう構成した温風噴射式の簡易的なサウナ装置であるが、設置に当たって温風流通マット内に空気を充填する時間と設置スペースを多く必要とすると共に、準備作業ならびに撤去作業において多くの時間と手間を必要とするもので、さらにサウナ入浴中における健康状態の自己管理が個人によって行われるため、安全性の問題点が提起されるものであった。
【００１２】
また、保管が便利で設置スペースが小さく、かつ十分なサウナ的効果の味わえる「折り畳み式簡易温風箱」（特許文献３）が提案され、公知技術となっている。
【００１３】
しかしながら、上記「折り畳み式簡易温風箱」の提案は、後面枠体と、それにヒンジ結合される左右枠体と、該左右枠体に取り外し可能に係着する前面枠体から構成され、少なくとも一人の人間を収納し得る空間を形成する枠体部と、該枠体部を被包すると共に開封自在な出入口を形成し頭部の露出可能な貫通孔を形成してなるシート部と、枠体部内に収納される熱風発生手段を設けた折り畳み式の簡易的なサウナ装置であるが、装置が設置される一定の設置スペースを必要とすると共に、設置に当たっての準備作業ならびに撤去作業において多くの時間と手間を必要とするものであり、さらに、不使用時の格納スペースを必要とするものであった。
【００１４】
また、送り込み熱風により外被袋を膨張成形させ、その熱風を外被袋内に自然還流するようにした「折り畳み式簡易サウナセット」（特許文献４）が提案され、公知技術となっている。
【００１５】
しかしながら、上記「折り畳み式簡易サウナセット」の提案は、接首部分から底部までの前面を開閉自在にした無内装枠のキルティング構造布でなるサウナ用外被袋内に、開脚を始めないと折畳み得ず、腰掛面上の任意の点での重心がその四足内に在る木製折畳み椅子を内置し、椅子足の背後足からの送込み熱風により外被袋を膨張成形し、その熱風を外被袋内にあって自然還流するようにした、外被袋と折畳み椅子及び熱風発生とその送風装置からなる折り畳み式の簡易的なサウナセットであるが、設置に当たって一定の設置スペースを必要とすると共に、腰掛け用の椅子が、底面が閉ざされたサウナ用外被袋内に設けられているため、サウナ入浴時において移動するにはサウナ用外被袋内からジッパーを外して脱出しなければならず、さらに椅子に座った状態で長時間同じ姿勢を維持しなければならないなどの問題点が提起されるものであった。
【００１６】
また、ヒータおよび送風機を有してなる熱風発生装置を備え、この装置により発生した熱風とサウナウエアの内部に送り込むことによって、サウナウエアをふくらませてこの内部に浴室を形成すると共に、この熱風を以って身体に発汗作用を起こさせる「サウナ風呂」（特許文献５）が提案され、公知技術となっている。
【００１７】
しかしながら、上記「サウナ風呂」の提案は、発泡材からなる非通気性のシートと該発泡材からなる非通気性のシートを中央にしてこの表裏両面を被覆する布製シートにより上記サウナウエアを構成するとともに、座部を木製とし前脚と後脚は金属パイプまたは金属棒を用い背もたれは取外し可能なるようにした布製とし、上記椅子の脚にナイロン等のパイルをフロッキコートした折りたたみ椅子とからなるサウナ風呂であるが、上記の「折り畳み式簡易サウナセット」（特許文献４）同様に、設置に当たって一定の設置スペースを必要とすると共に、腰掛け用の椅子が、底面が閉ざされたサウナ用外被袋内に設けられているため、サウナ入浴時において移動するにはサウナ用外被袋内からジッパーを外して脱出しなければならず、さらに椅子に座った状態で長時間同じ姿勢を維持しなければならないなどの問題点があった。
【００１８】
本出願人は、以上のような簡易サウナ装置におけるサウナ入浴中においてサウナウエアの脱衣と移動が制限されるという問題と、設置場所の確保と省スペース化の問題と、サウナ装置の軽量化ならびに簡素化が図れないという問題点に着目し、それらの問題点を簡易的且つ容易な手段で解決できないものかという着想の下、サウナジャケット着の裾部を開口することによってサウナ入浴中の脱衣や移動を可能なものとし、さらに設置場所の省スペース化と、サウナ装置本体の簡素化ならびに軽量化が図られる簡易サウナ装置を開発し、本発明における「簡易サウナ装置」の提案に至るものである。
【先行技術文献】
【特許文献】
【００１９】
【特許文献１】実開平７-１９３３号公報
【特許文献２】実開平７-１９３２号公報
【特許文献３】実開平６-３６４０号公報
【特許文献４】実開昭５２-１６９５４４号公報
【特許文献５】実開昭５６-１０９７３１号公報
【発明の概要】
【発明が解決しようとする課題】
【００２０】
本発明は上記問題点を鑑み、サウナジャケット着の裾部を開口することによってサウナ入浴中の脱衣や移動を可能なものとし、さらに設置場所の省スペース化と、サウナ装置本体の簡素化ならびに軽量化が図られる簡易サウナ装置の提供を課題とする。
【課題を解決するための手段】
【００２１】
本発明は上記課題を解決するためになされるもので、本発明の簡易サウナ装置は、非通気性の柔軟性伸縮素材で形成されるサウナジャケット着と、該サウナジャケット着の内側に温風を送り込む温風発生装置と、で構成される簡易サウナ装置であって、前記サウナジャケット着は、首部開口部から裾部開口部にかけて末広がり状に拡張して連通すると共に、人体の首部から尻臀部までの間の胴体部を一定の隙間空間を有して収納可能な形状に形成し、首部開口部の前方には該首部開口部の開放状態を調節する開襟調節具を備え、裾部開口部の前方ならびに後方には該裾部開口部の捲れ状態を押さえ込む敷設部を垂設し、前身頃の下方の両脇には使用者の手首が挿通される挿通ポケット口を形成し、側身頃の下方の一方には前記温風発生装置の送風ホースが連結される送風ホース連結口部を設けると共に、該送風ホース連結口部の内側には排風口の向きを自在に調節できる排風ホースを連結して成り、前記送風ホース連結口部に前記温風発生装置の送風ホースを連結して前記サウナジャケット着内に温風を送り込んでサウナ状態とする手段を採る。
【００２２】
また本発明の簡易サウナ装置は、前記サウナジャケット着の敷設部が、伸縮性を有する開口口を備える裾カバー部で形成され、前記裾部開口部の外周縁端部に係止具を介して着脱自在に取り付けた手段を採る。
【００２３】
また本発明の簡易サウナ装置は、前記サウナジャケット着の首部開口部の外周縁に、使用者の頭部全体を被覆するフードカバーを係止具を介して着脱自在に取り付けた手段を採る。
【発明の効果】
【００２４】
本発明の簡易サウナ装置によれば、簡易サウナ装置がサウナジャケット着と温風発生装置の二点の構成部品で構成されているため、装置の簡素化ならびに軽量化が図られると共に、温風発生装置が家庭用の白物家電（温風ヒータ、布団乾燥機、空気清浄機、スチーム加湿機、ガス・石油ファンヒータ等）を利用することができるため、ユーザーの家電所有状態ならびに購入予算に合わせて任意に商品選択ができるといった優れた効果を奏する。
【００２５】
また本発明の簡易サウナ装置によれば、販売メーカーにおいては単品販売による売り上げに対して白物家電と健康家電と美容家電が融合する関連的な商品販売が可能となることから、関連商品の売り上げ増が期待できるといった優れた効果を奏する。
【００２６】
また本発明の簡易サウナ装置によれば、サウナジャケット着を直接人体の胴体部に被覆した状態でサウナ入浴するため、簡易サウナ装置の設置スペースを必要としない上、サウナジャケット着の折り畳み収納ができることから、収納スペースも必要としないといった優れた効果を奏する。
【００２７】
また本発明の簡易サウナ装置によれば、サウナ入浴中において、サウナジャケット着の裾部が開口していることによって、サウナ入浴中であっても簡単にサウナジャケット着の脱着が容易であると共に、サウナ入浴中においても一定の隙間空間が確保されるため身体の拘束感や入浴姿勢の強制がなく自然体で入浴でき、さらに立ち上がることによってサウナジャケット着を装着した状態で移動することができるといった優れた効果を奏する。
【００２８】
また本発明の簡易サウナ装置によれば、隙間空間が必要最小限で形成されていることによって、短い時間で効率よく人体の体温を上げると同時に発汗作用を活発にすることができるため、風邪による体温調節不良症状を緩和することができるといった優れた効果を奏する。
【００２９】
また本発明の簡易サウナ装置によれば、サウナジャケット着が弾性部材をギャザー縫いにした非通気性の柔軟性伸縮素材で形成されることから、使用者の体格に合わせて自在にフィットする上に、洗濯や乾燥が容易であるため衛生面においても常に清潔な状態で使用することができるといった優れた効果を奏する。
【００３０】
また本発明の簡易サウナ装置によれば、サウナジャケット着内に温風膨張による隙間空間が形成されることによって、サウナジャケット着内の温風の循環が良好なものとになると共に、首部開口部と裾部開口部の隙間から温風を効率よく排風することができるといった優れた効果を奏する。
【００３１】
また本発明の簡易サウナ装置によれば、頭部を被覆するフードカバーを係止具を介して着脱自在に取り付けることができるため、美顔ならびに全身ダイエット療法が容易に行えるといった優れた効果を奏する。
【図面の簡単な説明】
【００３２】
【図１】本発明における請求項１記載の簡易サウナ装置の実施形態を示す分解斜視図である。（実施例１）
【図２】本発明における請求項２記載の簡易サウナ装置の実施形態を示す分解斜視図である。（実施例２）
【図３】本発明における請求項３記載の簡易サウナ装置の実施形態を示す分解斜視図である。（実施例３）
【図４】本発明における簡易サウナ装置の使用状態を示す説明図である。
【発明を実施するための形態】
【００３３】
本発明の簡易サウナ装置１０は、非通気性の柔軟性伸縮素材で形成されるサウナジャケット着２０と、該サウナジャケット着２０の内側に温風を送り込む温風発生装置５０と、で構成され、サウナジャケット着２０の裾部を開口することによってサウナ入浴中の脱衣や移動を可能なものとし、さらに設置場所の省スペース化と、サウナ装置本体の簡素化ならびに軽量化を図ったことを最大の特徴とする。以下、本発明にかかる簡易サウナ装置１０の実施形態を、図面に基づいて説明する。
【００３４】
尚、本発明における簡易サウナ装置１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００３５】
図１は、本発明における請求項１記載の簡易サウナ装置の実施形態を示す分解斜視図である。
本発明の簡易サウナ装置１０は、非通気性の柔軟性伸縮素材で形成されるサウナジャケット着２０と、該サウナジャケット着２０の内側に温風を送り込む温風発生装置５０と、で構成され、サウナジャケット着２０の裾部を開口することによってサウナ入浴中の脱衣や移動を可能なものとし、さらに設置場所の省スペース化と、サウナ装置本体の簡素化ならびに軽量化を図ることを目的として形成される。
【００３６】
サウナジャケット着２０は、弾性部材をギャザー縫いにした非通気性の柔軟性伸縮素材で形成され、首部開口部２１から裾部開口部２３にかけて末広がり状に拡張して連通すると共に、人体の首部から尻臀部までの間の胴体部を一定の隙間空間２８を有して収納可能な形状に形成し、首部開口部２１の前方には該首部開口部２１の開放状態を調節する開襟調節具２２を備え、裾部開口部２３の前方ならびに後方には該裾部開口部２３の捲れ状態を押さえ込む敷設部２４を垂設し、前身頃の下方の両脇には使用者の手首が挿通される挿通ポケット口２５を形成し、側身頃の下方の一方には温風発生装置５０の送風ホース４１が連結される送風ホース連結口部４０を設けると共に、該送風ホース連結口部４０の内側には排風口４３の向きを自在に調節できる排風ホース４２を連結して構成される。
【００３７】
首部開口部２１は、サウナジャケット着２０の天頂部に位置し、人体の首部が外部に突出する開口部であり、サウナ状態における温風の排出口としての機能も有する。
【００３８】
開襟調節具２２は、首部開口部２１の前方に開放状態を調節するものであって、樹脂製ジッパーやボタン止めなどを備えて使用者の首部の太さに合わせて開口部の大きさを任意に調節する止め具であり、サウナ状態における温風の排出調整機能として設けられる。
【００３９】
裾部開口部２３は、サウナジャケット着２０の下端部に位置し、首部開口部２１から末広がり状に連通すると共に、人体の首部から尻臀部までの間の胴体部を一定の隙間空間２８を有して収納可能な形状に形成されるものであり、サウナ状態における温風の排出口としての機能も有する。
【００４０】
敷設部２４は、サウナジャケット着２０の裾部開口部２３の前方ならびに後方の下端部に垂設され、下敷舌片２４ａの捲れ状態を尻の臀部または足組みの下に敷き入れて押さえ込むと同時に簡易的に閉塞する役割を果たすもので、かかる下敷舌片２４ａや、伸縮性の素材で形成される裾カバー部２６の開口口２７により、裾部開口部２３が簡易的に封鎖される。
【００４１】
挿通ポケット口２５は、サウナ入浴者Ｌの手首が内側から挿通される箇所であって、サウナジャケット着２０の前身頃の下方の両脇に設けられ、内側に封止フラップが設けられて外気の進入を阻止する形状に形成されている。サウナ入浴者Ｌが入浴中に読書をしたり、温風発生装置５０を操作したりする場合に使用される。
【００４２】
隙間空間２８は、温風の温風発生装置５０からサウナジャケット着２０内に送風される温風膨張によって形成されるもので、サウナジャケット着２０内の温風の循環を良好なものとしてサウナ効果を上げると共に、サウナ入浴者Ｌに身体の拘束感を発生させない空間部でもある。
【００４３】
送風ホース連結口部４０は、サウナジャケット着２０における一方の側身頃の下方に設けられ、温風発生装置５０の送風ホース４１が連結されると共に、内側には排風ホース４２が連結される耐熱樹脂製の連結部である。
【００４４】
送風ホース４１は、送風ホース連結口部４０と温風発生装置５０を連通するもので、サウナジャケット着２０内に温風を送り込んでサウナ状態とするフレキシブルホースである。
【００４５】
排風ホース４２は、サウナジャケット着２０内で送風ホース連結口部４０に連結され、サウナ入浴者Ｌがサウナ入浴中に排風口４３の向きを自在に調節できるフレキシブルホースである。
【００４６】
係止具４４は、サウナジャケット着２０の裾部開口部２３に敷設部２４を取り付けるためのものであって、該裾部開口部２３の外周縁と敷設部２４の上端縁に設けられ、ボタンやフック、面ファスナー等により構成されている。
【００４７】
温風発生装置５０は、送風ホース２７を介してサウナジャケット着２０の送風ホース連結口部４０からサウナジャケット着２０内に温風を送り込む温風機であり、家庭用の白物家電（温風ヒータ、布団乾燥機５１、空気清浄機、スチーム加湿機、ミスト発生装置、ガス・石油ファンヒータ５２等）を利用することができる。
【００４８】
以上で構成される簡易サウナ装置１０は、非通気性の柔軟性伸縮素材で形成されるサウナジャケット着２０と、該サウナジャケット着２０の内側に温風を送り込む温風発生装置５０と、で構成して、サウナジャケット着２０の裾部を開口することによってサウナ入浴中の脱衣と移動を可能なものとし、さらに設置場所の省スペース化と、サウナ装置本体の簡素化ならびに軽量化が図られ、従来にない利便性と携帯性を備える。
【実施例２】
【００４９】
図２は、本発明における請求項２記載の簡易サウナ装置の実施形態を示す分解斜視図である。
本発明の簡易サウナ装置１０は、サウナジャケット着２０の敷設部２４が、伸縮性を有する開口口２７を備える裾カバー部２６で形成され、該裾カバー部２６が裾部開口部２３の外周縁端部に係止具４４を介して着脱自在に取り付けられるものである。
【００５０】
裾カバー部２６は、非通気性の柔軟性伸縮素材で形成され、裾部開口部２３の外周縁端部に係止具４４を介して着脱自在に取り付けられる。
【００５１】
開口口２７は、伸縮性を有する素材を縫い込んで形成され、簡易サウナ装置の脱着時においては、サウナ入浴者Ｌの上半身を通して装着される。
【００５２】
送風ホースアタッチメント５３は、ガス・石油ファンヒータ５２の排風口に簡易的に取り付けられるもので、該ガス・石油ファンヒータ５２の排風口から排出される温風を集気ダクトで送風ホース４１に集めて送風する耐熱樹脂製のアタッチメントである。
【００５３】
以上で構成される簡易サウナ装置１０は、敷設部２４が裾部開口部２３に伸縮性を有する開口口２７を備える裾カバー部２６で形成されることによって、サウナ装置内への出入りを容易なものとし、さらに一般家庭に普及しているガス・石油ファンヒータ５２を使用することによって経済的な簡易サウナ装置１０として使用することができる。
【実施例３】
【００５４】
図３は、本発明における請求項３記載の簡易サウナ装置の実施形態を示す分解斜視図である。
本発明の簡易サウナ装置１０は、サウナジャケット着２０の首部開口部２１の外周縁に、使用者の頭部全体を被覆するフードカバー３０を係止具４４を介して着脱自在に取り付けて形成される。
【００５５】
フードカバー３０は、弾性部材をギャザー縫いにした非通気性の柔軟性伸縮素材でサウナ入浴者Ｌの頭部全体を覆う形状に形成され、係止具４４を介してサウナジャケット着２０の首部開口部２１の外周縁に着脱自在に取り付けられる。
【００５６】
係止具４４は、首部開口部２１にフードカバー３０を取り付けるためのものであって、該フードカバー３０の首部カバー部３２とサウナジャケット着２０の首部開口部２１の外周縁に設けられ、ボタンやフック、面ファスナー等により構成されている。
【００５７】
以上で構成される簡易サウナ装置１０は、フードカバー３０の前面を覆うフェイスカバー３１を顔面に被覆させることによって、美顔ならびに全身ダイエット療法が容易に行える簡易サウナ装置１０として利用することができる。
【００５８】
図４は、本発明における簡易サウナ装置の使用状態を示す説明図であり、図４（ａ）はサウナ入浴者Ｌが着座した状態を示す説明図である。
（１）サウナジャケット着２０の裾部開口部２３に身体を通して、首部を首部開口部２１から出した状態で床に座る。
（２）裾部開口部２３の下端に垂設される敷設部２４の下敷舌片２４ａを、尻の臀部または足組みの下に敷き入れる。
（３）挿通ポケット口２５から手を出して、温風発生装置５０に連結されている送風ホース４１をサウナジャケット着２０の送風ホース連結口部４０に連結する。
（４）温風発生装置５０の操作スイッチを操作して適正な温風設定を行う。
（５）排風ホース４２の排風口４３を持って、温風が適正な箇所に排風されるようにセットする。
【００５９】
以上で構成される着座した状態で使用される簡易サウナ装置１０は、必要最小限のスペースと形状を以って容易にサウナ入浴することができる。
【００６０】
図４（ｂ）は、サウナ入浴者Ｌが背もたれにもたれた状態を示す説明図である。
（１）〜（５）までは着座した使用状態と同じである。
（６）壁などにもたれて着座する。
（７）再び挿通ポケット口２５から手を出して、本などを持って読書する。
【００６１】
以上で構成される背もたれにもたれた状態で使用される簡易サウナ装置１０は、サウナ入浴時間が長時間に及んでもサウナ入浴者Ｌがリラックスした姿勢で自由にサウナ入浴できるものである。
【００６２】
図４（ｃ）は、サウナ入浴者Ｌが立ち上がった状態を示す説明図である。
サウナ入浴を中断する状況が発生した場合（気分が悪くなった時、水分を補給したくなった時、トイレに行きたくなった時、移動したくなった時など）は、サウナ入浴者Ｌが立ち上げることによって、サウナジャケット着２０の裾部開口部２３の下敷舌片２４ａが垂れ下がって裾部開口部２３が必然的に開放されるため、サウナジャケット着２０を着脱する必要がない構造となる。
【００６３】
以上で構成される立ち上がった状態で使用される簡易サウナ装置１０は、サウナジャケット着２０を着脱する必要がないため、サウナ入浴時における入浴準備時間ならびに入浴行為が大幅に軽減されるものである。
【産業上の利用可能性】
【００６４】
本発明における簡易サウナ装置１０は、主に人体の発汗作用を促す健康器具装置として利用されるものであるが、サウナ入浴中の脱衣と移動を可能とし、さらに設置場所の省スペース化と、装置の簡素化と低廉化が図れる簡易サウナ装置であることから、美容ダイエット療法にも効果を上げる機器として利用できると共に、温風発生装置５０自体が従来の温風ヒータ、布団乾燥機５１、空気清浄機、スチーム加湿機、ガス・石油ファンヒータ５２など、家庭内にある送風機能を備える白物家電を利用して使用することができることから、本発明における「簡易サウナ装置」の産業上の利用可能性は極めて大であると解する。
【符号の説明】
【００６５】
１０    簡易サウナ装置
２０    サウナジャケット着
２１    首部開口部
２２    開襟調節具
２３    裾部開口部
２４    敷設部
２４ａ  下敷舌片
２５    挿通ポケット口
２６    裾カバー部
２７    開口口
２８    隙間空間
３０    フードカバー
３１    フェイスカバー
３２    首部カバー部
４０    送風ホース連結口部
４１    送風ホース
４２    排風ホース
４３    排風口
４４    係止具
５０    温風発生装置
５１    布団乾燥機
５２    ガス・石油ファンヒータ
５３    送風ホースアタッチメント
Ｌ    サウナ入浴者
【図１】
2014180296.tif 000003
【図２】
2014180296.tif 000004
【図３】
2014180296.tif 000005
【図４】
2014180296.tif 000006